(57)【要約】【課題】複数の表示パネルを配列して構成する画像表示装置において、継目が目立たずに、高精細で高い開口率の画像表示装置を提供すること。【解決手段】少なくとも２つの表示パネル１０１ａ、１０１ｂを配列して画像を表示する画像表示装置１００において、表示パネル１０１ａ、１０１ｂは、それぞれ画素ピッチＰで設けられている複数の画素１０３を有し、表示パネル１０１ａ、１０１ｂどうしの継目１０８の近傍に、画素１０３からの光を継目１０８の方向へ反射させる反射部１０５が形成されている。【選択図】      図２
2005031195.tif 000002
【特許請求の範囲】
【請求項１】
少なくとも２つの表示パネルを配列して画像を表示する画像表示装置において、
前記表示パネルは、それぞれ所定間隔で設けられている複数の画素を有し、
前記表示パネルどうしの継目の近傍に、前記画素からの光を前記継目の方向へ反射させる反射部が形成されていることを特徴とする画像表示装置。
【請求項２】
前記表示パネルは、前記継目の近傍以外の領域においても、前記画素からの光を前記継目の方向へ反射させる前記反射部をさらに有していることを特徴とする請求項１に記載の画像表示装置。
【請求項３】
前記反射部は、反射面を有し、
前記反射面は、前記画素が形成されている基準面に対して所定の傾斜角と所定の向きとを有することを特徴とする請求項１又は２に記載の画像表示装置。
【請求項４】
前記反射部は、前記表示パネルにおいて、略同一の前記傾斜角と前記所定の向きとを有する複数の前記反射面からなることを特徴とする請求項３に記載の画像表示装置。
【請求項５】
前記反射部は、前記表示パネルにおいて、それぞれ異なる前記傾斜角と前記所定の向きとを有する複数の前記反射面からなることを特徴とする請求項３に記載の画像表示装置。
【請求項６】
前記反射部の前記反射面には、反射膜が形成されていることを特徴とする請求項３〜５のいずれか一項に記載の画像表示装置。
【請求項７】
前記反射部は、前記反射面において前記画素からの光が全反射する屈折率を有していることを特徴とする請求項３〜５のいずれか一項に記載の画像表示装置。
【請求項８】
前記表示パネルは、前記画素からの光が射出する側に、前記画素からの光を拡散させる拡散部をさらに有することを特徴とする請求項１〜７のいずれか一項に記載の画像表示装置。
【請求項９】
３つ以上の前記表示パネルが、一方向に沿って配列されていることを特徴とする請求項１〜８のいずれか一項に記載の画像表示装置。
【請求項１０】
４つ以上の前記表示パネルが、略直交する二方向に沿って配列されていることを特徴とする請求項１〜８のいずれか一項に記載の画像表示装置。
【請求項１１】
前記表示パネルは、液晶表示パネルであり、
前記液晶表示パネルへ照明光を供給する光源をさらに有することを特徴とする請求項１〜１０のいずれか一項に記載の画像表示装置。
【請求項１２】
前記表示パネルは、有機エレクトロルミネッセンス・パネル又は無機エレクトロルミネッセンス・パネルであることを特徴とする請求項１〜１０のいずれか一項に記載の画像表示装置。
【発明の詳細な説明】
【０００１】
【発明の属する技術分野】
本発明は、画像表示装置、特に複数の画像表示パネルを接合して大画面を得る画像表示装置に関する。
【０００２】
【従来の技術】
画像表示装置として、例えば、液晶表示パネルや、有機又は無機のエレクトロルミネッセンス（以下、「ＥＬ」という。）などの平面表示パネルが知られている。そして、近年、大画面な画像表示装置に対するニーズが増加している。ここで、液晶表示パネルでは、その生産性、開口率、表示の均一性などの点から大画面で高精細な単一のパネルを製造することは困難である。また、ＥＬ表示パネルでは、機械的な強度の点、及び電極の抵抗の増大に伴って駆動電圧を高める必要がある点等から、大画面の単一のパネルを製造することは困難である。このため、ユニット化された表示パネルを、タイル状に複数配列することが大画面化の有力な方法となる。複数の表示パネルを配列して一つの大画面の画像表示装置を構成する方法がいくつか提案されている（例えば、特許文献１〜４）。
【０００３】
【特許文献１】
特開２００２−３７２９２８号公報
【特許文献２】
特開２００１−９２３８９号公報
【特許文献３】
特開平１０−２０２７０号公報
【特許文献４】
特開平５−１８８８７３号公報
【０００４】
【発明が解決しようとする課題】
複数の表示パネルを配列して接合する場合、接合部近傍に画素が存在しない継目が生ずる。継目の領域は、表示パネルの画素ピッチよりも広い間隔において画素が形成されていない非表示領域である。このため、表示パネル間の継目は、接合された大画面内において、例えば直線状の黒い帯として観察者に認識されてしまう。このため、継目が存在する画像は、その品質が低くなってしまう。
【０００５】
継目を目立たなくする方法としては、継目の幅を画素ピッチ以内となるように表示パネルどうしを光学接着剤により精密に接合することが考えられる。このように構成すれば、観察者は、例えば画素間の非表示領域と継目とを識別することがなくなる。しかしながら、高精細化するほど画素ピッチは小さくなる。これに対して、継目領域では、表示パネルを接合するためにある程度の幅が必要となる。このため、継目の幅と画素ピッチとを略一致させる場合、画素ピッチを小さくする高精細化は困難である。
【０００６】
また、表示パネルでは、長方形状の複数の画素が略直交する格子状に配列されている。従って、第１の方向の画素ピッチと、第１の方向に略直交する第２の方向の画素ピッチとの２つの画素ピッチがある。このため、複数の表示パネルを１次元方向（第１の方向）へ配列する場合は、第１の方向の画素ピッチをある程度以上小さくすることは困難である。
【０００７】
さらに、例えば４枚の表示パネルを、２枚ずつ略直交する２次元方向へ配列する場合は、直交する直線状に継目が形成される。このため、第１の方向の画素ピッチと、第２の方向の画素ピッチとの両方の画素ピッチをある程度以上小さくすることは困難である。画素ピッチを小さくできないため、画素の開口部の寸法を大きくできない。このため、複数の表示パネルを配列する画像表示装置の場合、継目を目立たなくしようとすると、高精細化が困難で、開口率の低下を生じるため問題である。特に、表示パネルを２次元方向に配列する画像表示装置の場合に、これらの問題は顕著となる。
【０００８】
また、継目の近傍にレンズを設けることで継目を目立たなくすることも提案されている。レンズは、継目上に画素からの光を屈折させて、観察者の方向へ光線を変化させる。これにより、観察者は、継目近傍に画素を認識するので継目を目立たなくすることができる。しかしながら、レンズを用いる方法では、観察者が継目上に画素を認識できる領域、即ち観察角度範囲が限定されてしまう。このため、観察角度範囲を超えた領域から観察者が観察する場合、レンズにより画素が歪んで認識されてしまうという問題を生ずる。
【０００９】
本発明は、上述の問題点を解決するためになされたものであり、複数の表示パネルを配列して構成する画像表示装置において、継目が目立たずに、高精細で高い開口率の画像表示装置を提供することを目的とする。
【００１０】
【課題を解決するための手段】
上記課題を解決し、目的を達成するために、本発明によれば、少なくとも２つの表示パネルを配列して画像を表示する画像表示装置において、前記表示パネルは、それぞれ所定間隔で設けられている複数の画素を有し、前記表示パネルどうしの継目の近傍に、前記画素からの光を前記継目の方向へ反射させる反射部が形成されていることを特徴とする画像表示装置を提供できる。
【００１１】
画素からの光は、所定の空間的拡がりを持って表示パネル内を進行する。画素からの光のうち反射部を経由しない光は、そのまま表示パネルを射出する。そして、継目の近傍に形成された反射部は、画素からの光の一部を反射させて、射出する。反射部からの反射光により、継目近傍の画素の位置が所定の方向へ所定量だけ移動（シフト）する。観察者は、本画像表示装置を観察する場合、継目上において反射部からの反射光により移動した見かけ上の画素を観察することになる。このため、継目の画素が本来存在しない非表示領域からも光を射出できる。この結果、複数の表示パネル間の継目を目立なくすることができる。また、画素ピッチと継目の幅とを略一致させる必要がない。このため、各画素の寸法を大きくすることで高い開口率とすること、及び高精細化することができる。また、表示パネルを２次元方向へ接合する場合でも、継目を目立たないようにし、かつ高い開口率と高精細化を達成できる。このため、容易に画面を大型化することができる。
【００１２】
また、本発明の好ましい態様によれば、前記表示パネルは、前記継目の近傍以外の領域においても、前記画素からの光を前記継目の方向へ反射させる前記反射部をさらに有していることが望ましい。上述のように、継目近傍の画素からの光を反射させることで、継目近傍の画素の位置を見かけ上移動させることができる。画素は所定間隔で配列されている。このため、継目近傍以外の領域に形成されている画素が本来の位置のままの状態では、継目近傍の画素と、継目近傍以外の領域に形成されている画素との間隔が、所定間隔とは異なってきてしまう。この結果、観察者は、自然な画像を観察することができない。本態様では、前記継目の近傍以外の領域においても、前記画素からの光を前記継目の方向へ反射させる前記反射部をさらに有している。これにより、表示パネルの全ての画素の位置を見かけ上移動させることができる。
【００１３】
また、本発明の好ましい態様によれば、前記反射部は、反射面を有し、前記反射面は、前記画素が形成されている基準面に対して所定の傾斜角と所定の向きとを有することが望ましい。画素からの光が反射されることにより画素が移動する移動量と移動方向とは、反射面の傾斜角と向きとに対応する。このため、反射面の傾斜角と向きとを制御することで、画素の移動量と移動方向とを所望の値とすることができる。
【００１４】
また、本発明の好ましい態様によれば、前記反射部は、前記表示パネルにおいて、略同一の前記傾斜角と前記所定の向きとを有する複数の前記反射面からなることが望ましい。これにより、１つの表示パネルにおいて、略全ての画素を一定の方向へ一定量だけ移動することができる。
【００１５】
また、本発明の好ましい態様によれば、前記反射部は、前記表示パネルにおいて、それぞれ異なる前記傾斜角と前記所定の向きとを有する複数の前記反射面からなることが望ましい。例えば、３つの長方形状の表示パネルを一方向に配列する場合、第１の継目と第２の継目との２つの継目を生ずる。このため、２つの継目に接している一の表示パネルは、全ての画素を一定の方向へ移動させる代わりに、第１の継目の方向へ移動させる画素と、第２の継目の方向へ移動させる画素とを設ける。これにより、継目を目立たなくすることができる。
【００１６】
また、本発明の好ましい態様によれば、前記反射部の前記反射面には、反射膜が形成されていることが望ましい。これにより、画素からの光を効率良く反射させることができる。
【００１７】
また、本発明の好ましい態様によれば、前記反射部は、前記反射面において前記画素からの光が全反射する屈折率を有していることが望ましい。これにより、反射膜を形成する工程を省略した上で、高い反射率を得ることができる。
【００１８】
また、本発明の好ましい態様によれば、前記表示パネルは、前記画素からの光が射出する側に、前記画素からの光を拡散させる拡散部をさらに有することが望ましい。画素からの光は、拡散部で拡散されることで、射出強度分布の偏りを低減される。これにより、観察者は、拡散部から略一様な射出強度分布の光を観察できる。
【００１９】
また、本発明の好ましい態様によれば、３つ以上の前記表示パネルが、一方向に沿って配列されていることが望ましい。これにより、例えば、継目が２つ以上形成する場合でも、全ての継目を目立たなくすることができる。
【００２０】
また、本発明の好ましい態様によれば、４つ以上の前記表示パネルが、略直交する二方向に沿って配列されていることが望ましい。４つ以上の前記表示パネルが、略直交する二方向に沿って配列する場合、略直交する継目が形成される。本態様では、略直交する全ての継目を目立たなくすることができる。
【００２１】
また、本発明の好ましい態様によれば、前記表示パネルは、液晶表示パネルであり、前記液晶表示パネルへ照明光を供給する光源をさらに有することが望ましい。液晶表示パネルを配列する場合の、継目を目立たなくすることができる。
【００２２】
また、本発明の好ましい態様によれば、前記表示パネルは、有機エレクトロルミネッセンス・パネル又は無機エレクトロルミネッセンス・パネルであることが望ましい。これにより、有機ＥＬ又は無機ＥＬを配列する場合の、継目を目立たなくすることができる。
【００２３】
【発明の実施の形態】
以下に添付図面を参照して、本発明の好適な実施形態を詳細に説明する。
（第１実施形態）
図１は、第１実施形態に係る画像表示装置１００を斜視方向から見た概観構成を示す。２つの長方形状の表示パネル１０１ａ、１０１ｂとがｘ方向に配列されている。表示パネル１０１ａと表示パネル１０１ｂとの接合部近傍の断面構成（ｘｚ面内）を図２に示す。表示パネル１０１ａ、１０１ｂは、それぞれ複数の画素１０３を有する有機ＥＬパネルである。画素１０３は、第１の硝子基板１０２上に所定間隔である画素ピッチＰで略直交する格子状に形成されている。第１の硝子基板１０２上には、不図示のＴＦＴ、画素電極、対向電極、保護層等からなるＥＬ発光層が形成されている。図２においては、ＥＬ発光層のうち、画素電極と対向電極との交点領域を画素１０３として示している。画素１０３は、画像信号に応じて変調された、例えば蛍光を発生する。また、第１の硝子基板１０２上には、画素１０３を封止するように硝子部材からなる第２の硝子基板１０６が光学的接着剤で接合されている第２の硝子基板１０６には、後述する反射部１０４、１０５が形成されている。
【００２４】
表示パネル１０１ａと表示パネル１０１ｂとは、光学的接着剤で接合される。光学的接着剤は、表示パネル１０１ａ、１０１ｂを構成する第２の硝子基板１０６の屈折率と略同一の屈折率を有する。表示パネル１０１ａと表示パネル１０１ｂとの接合部には、直線状の継目１０８が存在する。また、画素１０３の近傍には、画素１０３からの光を継目１０８の方向へ反射させる反射部１０４が設けられている。
【００２５】
反射部１０４、１０５の反射面１０４ａ、１０５ａには、反射膜が形成されている。これにより、画素からの光を効率良く反射させることができる。反射膜は、Ａｌ等の高反射率の金属膜を蒸着して形成できる。また、反射膜に代わる構成とすることもできる。例えば、反射部１０４、１０５は、反射面１０４ａ、１０５ａにおいて画素１０３からの光が全反射する屈折率を有していても良い。これにより、反射膜を形成する工程を省略した上で、全反射角以上の光に対して略１００％の高い反射率を得ることができる。具体的には、第２の硝子基板１０６を光学硝子で製造する場合、反射部１０４、１０５の内部を空気（屈折率＝略１．０）で満たすようにする。これにより、反射面１０４ａ、１０５ａで画素１０３からの光を全反射できる。
【００２６】
画素１０３からの光は、所定の空間的拡がりを持って表示パネル１０１ａ、１０１ｂ内を進行する。画素１０３からの光のうち反射部１０４を経由しない光は、そのまま表示パネル１０１ａ、１０１ｂを射出する。そして、継目１０８の近傍に形成された反射部１０４は、画素１０３からの光の一部を反射させて、射出する。反射部１０４からの反射光により、継目１０８近傍の画素１０３の位置が所定の方向へ所定量だけ見かけ上移動（シフト）する。観察者は、画像表示装置１００を観察する場合、継目１０８上において反射部１０４からの反射光により見かけ上移動した画素１０３を観察することになる。このため、継目１０８の画素１０３が本来存在しない非表示領域からも光を射出できる。この結果、複数の表示パネル１０１ａ、１０１ｂ間の継目１０８を目立なくすることができる。また、画素ピッチＰと継目１０８との幅とを略一致させる必要がない。このため、各画素１０３の寸法を大きくすることで高い開口率とすること、及び高精細化することができる。また、表示パネル１０１ａ、１０１ｂを２次元方向へ接合する場合でも、継目１０８を目立たないようにし、かつ高い開口率と高精細化を達成できる。このため、容易に画面を大型化することができる。
【００２７】
また、本実施形態では、各表示パネル１０１ａ、１０１ｂは、継目１０８の近傍以外の領域においても、画素１０３からの光を継目１０８の方向へ反射させる反射部１０５が形成されている。上述のように、継目１０８近傍の画素１０３からの光を反射させることで、継目１０８近傍の画素１０３の位置を見かけ上移動させることができる。画素１０３は所定間隔である画素ピッチＰで配列されている。このため、継目１０８近傍以外の領域に形成されている画素１０３が本来の位置のままの状態では、継目１０８近傍の画素１０３と、継目１０８近傍以外の領域に形成されている画素１０３との間隔が、画素ピッチＰとは異なってきてしまう。この結果、観察者は、自然な画像を観察することができない。本実施形態では、継目１０８の近傍以外の領域においても、画素１０３からの光を継目１０８の方向へ反射させる反射部１０５をさらに有している。これにより、表示パネル１０１ａ、１０１ｂの全ての画素１０３の位置を見かけ上移動させることができる。
【００２８】
さらに、表示パネル１０１ａ、１０１ｂの画素１０３からの光が射出する側の面に、画素１０３からの光を拡散させる拡散部１０７が形成されている。画素１０３からの光は、拡散部１０７で拡散されることで、射出強度分布の偏りを低減される。これにより、観察者は、拡散部１０７から略一様な射出強度分布の光を観察できる。拡散部１０７は、例えば、微小な凹凸面で構成することができる。
【００２９】
図２では、反射部１０４、１０５の基本的な構成を示している。ここで、反射部１０４、１０５のさらに望ましい具体的構成を図３に基づいて説明する。このため、図２に示す反射部１０５と図３に示す反射部１０５との形状は多少異なっている。反射部１０４、１０５は、図３に示すように、それぞれ反射面１０４ａ、１０５ａを有する。そして、反射面１０４ａ、１０５ａは、画素１０３が形成されている基準面１０９に対して所定の傾斜角θ１、θ２と所定の向きとを有する。画素１０３からの光が反射面１０４ａ、１０５ａで反射されることにより画素１０３が移動する移動量と移動方向とは、反射面１０４ａ、１０５ａの傾斜角θ１、θ２と、その向きとに対応する。このため、反射面１０４ａ、１０５ａの傾斜角θ１、θ２と向きとを制御することで、画素１０３の移動量と移動方向とを所望の値とすることができる。
【００３０】
次に、傾斜角θ１、θ２について説明する。図３において、継目１０８近傍の反射面１０４ａの傾斜角θ１と、継目１０８の近傍以外の領域の反射面１０５ａの傾斜角θ２とは、角度が異なっている。好ましくは、傾斜角θ１は略５０°、傾斜角θ２は略７０°が望ましい。また、図２に示すように、反射部１０５は、表示パネル１０１ａ、１０１ｂにおいて、略同一の傾斜角θ２と所定の向きとを有する複数の反射面１０５ａからなる。これにより、１つの表示パネル１０１ａ、１０１ｂにおいて、略全ての画素１０３を図２中の矢印で示すように一定の方向へ一定量だけ移動することができる。
【００３１】
これにより、図４（ａ）に示すように、各表示パネル１０１ａ、１０１ｂは、継目領域１１０の中心近傍の方向へみかけ上移動する。この結果、図４（ｂ）に示すように、観察者は継目領域１１０を認識することがない。このように、画素１０３からの光は、反射面１０４ａ、１０５ａにより、継目領域１１０上へ進行方向を反射作用により偏向される。この結果、画像表示装置１００を観察する観察者は、継目領域１１０上に画素１０３からの光を認識するので、継目領域１１０を目立たなくすることができる。
【００３２】
（第１実施形態の変形例）
図５は、上記第１実施形態の変形例の概略断面構成を示す。上記第１実施形態では、反射部１０５の反射面１０５ａは、略同一の傾斜角θ１と向きとを有している。この場合、全ての画素１０３からの光は、継目１０８の方向へ反射される。このため、表示パネル１０１ａ、１０１ｂの周辺部では、画素１０３からの光が射出されない領域を生ずる場合がある。本変形例では、継目１０８から周辺部へ行くに従って、反射面１０５ａの傾斜角θ１が基準面１０９（図３）に対して略垂直へ近づくように段階的に異なっている。これにより、表示パネル１０１ａ、１０１ｂ上の位置により画素１０３の見かけ上の移動量を異ならせることができる。この結果、表示パネル１０１ａ、１０１ｂの継目１０８から遠い側の周辺部においても、観察者は画素１０３からの光Ｌ１を観察することができる。
【００３３】
（第２実施形態）
図６は、第２実施形態に係る画像表示装置６００を斜視方向から見た概観構成を示す。なお、上記第１実施形態と同一の部分には同一の符号を付し、重複する説明は省略する。３つの長方形状の表示パネル６０１ａ、６０１ｂ、６０１ｃとがｘ方向に配列されている。表示パネル６０１ａ、６０１ｂ、６０１ｃの接合部近傍の断面構成（ｘｚ面内）を図７に示す。画像表示装置６００は、第１実施形態と同様に、複数の画素１０３を有する有機ＥＬパネルである。
【００３４】
３つの表示パネル６０１ａ、６０１ｂ、６０１ｃのうち、周辺の表示パネル６０１ａ、６０１ｃは、それぞれ上記第１実施形態で述べた表示パネル１０１ａ、１０１ｂと同一の構成である。３つの表示パネル６０１ａ、６０１ｂ、６０１ｃのうち、真中に配列されている表示パネル６０１ｂの構成について説明する。３つの長方形状の表示パネル６０１ａ、６０１ｂ、６０１ｃを一方向に配列する場合、第１の継目１０８ａと第２の継目１０８ｂとの２つの継目を生ずる。このため、２つの継目に接している真中の表示パネル６０１ｂは、全ての画素１０３を一定の方向へ移動させる代わりに、第１の継目１０８ａの方向へ移動させる画素１０３と、第２の継目１０８ｂの方向へ移動させる画素１０３とを設ける。このため、表示パネル６０１ｂの反射部６０４、６０５、６０６、６０７は、それぞれ異なる傾斜角と所定の向きとを有する複数の反射面６０４ａ、６０５ａ、６０６ａ、６０７ａからなる。そして、表示パネル６０１ｂの第１及び第２の継目１０８ａ、１０８ｂの近傍の反射面６０４ａ、６０７ａは、継目１０８ａ、１０８ｂの方向へ画素１０３からの光を反射させるような傾斜角と向きを有する。これに対して、表示パネル６０１ｂの中心近傍の反射面６０５ａ、６０６ａは、基準面１０９に略垂直となるように形成されている。
【００３５】
これにより、図８（ａ）に示すように、各表示パネル６０１ａ、６０１ｂ、６０１ｃは、継目領域１１０の中心近傍の方向へみかけ上移動する。この結果、図８（ｂ）に示すように、観察者は継目領域１１０を認識することがない。このように、画素１０３からの光は、反射面１０４ａ、１０５ａ、６０４ａ、６０５ａ、６０６ａ、６０７ａにより、継目領域１１０上へ進行方向を反射作用により偏向される。この結果、画像表示装置６００を観察する観察者は、継目領域１１０上に画素１０３からの光を認識するので、継目領域１１０を目立たなくすることができる。なお、第１実施形態及び第２実施形態においては、有機ＥＬパネルに限られず、無機ＥＬパネルでも同様の構成にできることは言うまでもない。
【００３６】
（第３実施形態）
本発明の第３実施形態に係る画像表示装置１０００の断面構成（ｘｚ面内）を図９に示す。上記各実施形態では、有機ＥＬパネルを用いて説明している。これに対して、本実施形態に係る画像表示装置１０００では、液晶表示パネルを用いている点が異なる。本実施形態においても、上記第１実施形態と同様に表示パネル１００１ａと表示ネル１００１ｂとを光学的接着剤で接合する。表示パネル１００１ａについて見ると、第１の硝子基板１００２上には画素ピッチＰの間隔で画素１００３が設けられている。第１の硝子基板１００２上には、ＴＦＴ、画素電極（ＩＴＯ）、及び液晶を配向させるための配向膜等が形成されている。また、第１の硝子基板１００２に対向する第２の硝子基板１００７で画素１００３を封止する。第２の硝子基板１００７には、対向電極が形成されている。第１の硝子基板１００２と第２の硝子基板１００７との間には、液晶層が封入されている。そして、画素電極と対向電極との交点領域を画素１００３として図示している。画素１００３は、後述する光源１０１２からの光を画像信号に応じて変調して射出する。なお、画素１００３どうしの光のクロストークを低威するために、第２の硝子基板１００７の厚さはできるかぎり薄いほうが望ましい。
【００３７】
また、画素１００３の間には、光源１０１２からの光を遮光する遮光部１０１３が形成されている。さらに、接合した表示パネル１００１ａ、１００１ｂの後述する光源１０１２側の面には、硝子板１００８に固着された第１の偏光膜１００９が設けられている。加えて、接合した表示パネル１００１ａ、１００１ｂの光源１０１２とは反対側の面には、硝子板１０１０に固着された第２の偏光膜１０１１が設けられている。第１の偏光膜１００９と第２の偏光膜１０１１とは、いわゆるクロスニコルの状態に設定されている。さらに、硝子板１０１０の画素１００３側の面には、図２で示したものと同様の形状の反射面１０４、１０５が形成されている。
【００３８】
また、第１の偏光膜１００９側には、バックライト用の光を供給する光源１０１２が設けられている。光源１０１２からの光のうち、画素１００３で画像信号に応じて変調された光が、第２の偏光膜１０１１側へ射出する。画素１００３を射出した光のうち、反射部１０４、１０５に入射した光は、反射面１０４ａ、１０５ａで反射される。反射面１０４ａ、１０５ａで反射された光は、継目１０８の方向へ進行する。これにより、表示パネル１００１ａ、１００１ｂを配列する場合、継目１０８を目立たなくすることができる。
【００３９】
なお、上記実施形態において、４つ以上の表示パネルを、略直交する二方向に沿って配列しても良い。４つ以上の表示パネルを、略直交する二方向に沿って配列する場合でも、略直交する継目が形成される。これにより、略直交する全ての継目を目立たなくすることができる。また、有機又は無機のＥＬ表示パネル、及び液晶表示パネルの例を用いて説明したが、本発明はこれに限られること無く、複数の平面表示パネルを配列して大型の画面を形成する、いわゆるタイリング型のすべての画像表示装置に対して適用することができる。
【図面の簡単な説明】
【図１】本発明の第１実施形態に係る画像表示装置の斜視図。
【図２】第１実施形態の概略断面図。
【図３】第１実施形態の概略断面の拡大図。
【図４】第１実施形態の画素の移動の説明図。
【図５】第１実施形態の変形例の概略断面図。
【図６】本発明の第２実施形態に係る画像表示装置の斜視図。
【図７】第２実施形態の概略断面図。
【図８】第２実施形態の画素の移動の説明図。
【図９】本発明の第３実施形態に係る画像表示装置の概略断面図。
【符号の説明】
１００  画像表示装置、１０１ａ、１０１ｂ  表示パネル、１０２  第１の硝子基板、１０３  画素、１０４  反射部、１０４ａ  反射面、１０５  反射部、１０５ａ  反射面、１０６  第２の硝子基板、１０７  拡散部、１０８  継目、１０８ａ  第１の継目、１０８ｂ  第２の継目、１０９  基準面、１１０  継目領域、６００  画像表示装置、６０１ａ、６０１ｂ、６０１ｃ  表示パネル、６０４  反射部、６０４ａ  反射面、６０５ａ  反射面、１０００  画像表示装置、１００１ａ  液晶表示パネル、１００２  第１の硝子基板、１００３  画素、１００７  第２の硝子基板、１００８  硝子板、１００９  第１の偏光膜、１０１０  硝子板、１０１１  第２の偏光膜、１０１２  光源、１０１３  遮光部、Ｌ１  光、Ｐ  画素ピッチ、θ１、θ２  傾斜角
【図１】
2005031195.tif 000003
【図２】
2005031195.tif 000004
【図３】
2005031195.tif 000005
【図４】
2005031195.tif 000006
【図５】
2005031195.tif 000007
【図６】
2005031195.tif 000008
【図７】
2005031195.tif 000009
【図８】
2005031195.tif 000010
【図９】
2005031195.tif 000011